(57)【特許請求の範囲】
【請求項１】
建物の外壁の幅方向に沿って隣接して並べられる外壁面材であって、
幅方向一端から幅方向他端にまで延び、互いに対して上下方向に間隔をあけて平行に延びる複数の横溝によって形成された複数の段を備え、
前記各段には、その上下に位置する前記横溝を接続する複数の縦溝によって形成された、複数の矩形ブロックが形成されており、
前記複数の段は、幅方向中央位置を中心として左右非対称であり、幅寸法がＬの基準ブロックと、幅方向左端に位置し、幅寸法が前記基準ブロックよりも小さい左端ブロックと、幅方向右端に位置し、幅方向が前記基準ブロックよりも小さく、かつ、前記左端ブロックの幅寸法とは異なる右端ブロックとを含む複数の非対称段を有し、
前記左端ブロックの長さをＬ×Ｂ／Ａ（Ａ＞Ｂ）とすると、前記右端ブロックの長さがＬ×（Ａ−Ｂ）／Ａであり、
前記複数の段は、幅方向中央位置を中心として左右対称であり、すべてのブロックの幅寸法が同じである複数の対称段をさらに有し、
前記非対称段は、厚みの異なる複数のブロックを含み、
各前記非対称段における前記左端ブロックの厚みと前記右端ブロックの厚みとは、同一であり、
複数の前記非対称段のうちの少なくとも１つの前記非対称段の直上に位置する前記段における、幅方向左端および／または幅方向右端に位置する前記ブロックの厚みが、当該非対称段の前記左端ブロックおよび前記右端ブロックの厚みより大きい、外壁面材。
【請求項２】
前記非対称段と高さ寸法の異なった前記対称段を有する、請求項１に記載の外壁面材。
【請求項３】
前記複数の対称段は、第１の対称段と、前記第１の対称段よりも高さ寸法の小さい第２の対称段とを含み、
複数の前記非対称段は、第１の非対称段と、前記第１の非対称段よりも高さ寸法の小さい第２の非対称段とを含む、請求項１または２に記載の外壁面材。
【請求項４】
前記第２の対称段と前記第２の非対称段とは、上下方向に隣接しており、かつ、前記第１の対称段と前記第１の非対称段とによって、上下方向に挟まれている、請求項３に記載の外壁面材。
【請求項５】
前記複数の段には、色の異なる複数のブロックが混在しており、
前記非対称段における前記左端ブロックの色と前記右端ブロックの色とは、同一である、請求項１〜４のいずれかに記載の外壁面材。
【請求項６】
前記複数の段には、模様の異なる複数のブロックが混在しており、
前記非対称段における前記左端ブロックの模様と前記右端ブロックの模様とは、同一である、請求項１〜５のいずれかに記載の外壁面材。
【請求項７】
当該外壁面材の幅を等分割した単位長さをＬ０とすると、全ての前記ブロックの幅寸法は、Ｌ０の整数倍である、請求項１〜６のいずれかに記載の外壁面材。
【請求項８】
建物の外壁の幅方向に沿って隣接して並べられた請求項１〜７のいずれかに記載の外壁面材と、前記建物の隅部に配置され、前記外壁面材に隣接するコーナーカバー用面材とを含む外壁構造において、
前記コーナーカバー用面材は、前記外壁面材の幅方向一方側に隣接する一方の面材と、前記外壁面材の幅方向他方側に隣接する他方の面材とを有し、
前記一方の面材の前記縦溝および前記横溝の配置パターンは、前記外壁面材の幅方向他方側の端部における前記縦溝および前記横溝の端部配置パターンと同一であり、
前記他方の面材の前記縦溝および前記横溝の配置パターンは、前記外壁面材の幅方向一方側の端部における前記縦溝および前記横溝の端部配置パターンと同一である、外壁構造。
【請求項９】
前記建物の各隅部に配置されるコーナーカバーの製造方法であって、
請求項１〜７のいずれかに記載の外壁面材を準備する工程と、
準備した前記外壁面材を少なくとも前記非対称段の前記ブロックを通る縦方向切断部で切断して第１の面材および第２の面材に分離する工程と、
分離した前記第１の面材および前記第２の面材を前記切断部の位置で交差させて接合させる工程とを備える、コーナーカバーの製造方法。
【発明の詳細な説明】
【技術分野】
【０００１】
この発明は、外壁面材であって、特に、建物の外壁の幅方向に沿って隣接して並べられる外壁面材に関する。
【背景技術】
【０００２】
建物の外壁の外装材として、所定の大きさで形成されたパネル状の外壁面材が用いられている。このような外壁面材は、幅方向に隣接して並べられるため、その継目部分に目地が形成される。
【０００３】
特開平１１−２４１４７４号公報（特許文献１）には、破れ目地模様を有する化粧材が開示されている。この化粧材を幅方向に隣接して並べると、その継目部分（通し継目）を線対称とする破れ目地の模様パターンが形成されることが開示されている。
【先行技術文献】
【特許文献】
【０００４】
【特許文献１】特開平１１−２４１４７４号公報
【発明の概要】
【発明が解決しようとする課題】
【０００５】
上記の特許文献１に示される化粧材では、通し継目を線対称とする破れ目地を形成することで、通し継目の存在を抑制している。しかし、この化粧材の模様パターンは単調であるため、外壁全体を見たときの面白みに欠ける。
【０００６】
本発明は、上記のような課題を解決するためになされたものであって、その目的は、取り付け状態において、幅方向に隣接する外壁面材間に形成される目地が目立たず、外壁全体としての意匠性を向上させることのできる外壁面材を提供することである。
【課題を解決するための手段】
【０００７】
この目的のため本発明による外壁面材は、建物の外壁の幅方向に沿って隣接して並べられる。外壁面材は、幅方向一端から幅方向他端にまで延び、互いに対して上下方向に間隔をあけて平行に延びる複数の横溝によって形成された複数の段を備える。各段には、その上下に位置する横溝を接続する複数の縦溝によって形成された、複数の矩形ブロックが形成されている。複数の段は、幅寸法がＬの基準ブロックと、幅方向左端に位置し、幅寸法が基準ブロックよりも小さい左端ブロックと、幅方向右端に位置し、幅方向が基準ブロックよりも小さく、かつ、左端ブロックの幅寸法とは異なる右端ブロックとを含む少なくとも１つの非対称段を有し、左端ブロックの長さをＬ×Ｂ／Ａ（Ａ＞Ｂ）とすると、右端ブロックの長さがＬ×（Ａ−Ｂ）／Ａである。
【０００８】
好ましくは、複数の段は、すべてのブロックの幅寸法が同じである複数の対称段をさらに有する。
【０００９】
外壁面材は、非対称段と高さ寸法の異なった対称段を有することが望ましい。
【００１０】
あるいは、複数の対称段は、第１の対称段と、第１の対称段よりも高さ寸法の小さい第２の対称段とを含み、複数の非対称段は、第１の非対称段と、第１の非対称段よりも高さ寸法の小さい第２の非対称段とを含んでいてもよい。
【００１１】
第２の対称段と第２の非対称段とは、上下方向に隣接しており、かつ、第１の対称段と第１の非対称段とによって、上下方向に挟まれていることが望ましい。
【００１２】
好ましくは、複数の段には、厚みの異なる複数のブロックが混在しており、非対称段における左端ブロックの厚みと右端ブロックの厚みとは、同一であることが望ましい。
【００１３】
あるいは、複数の段には、色の異なる複数のブロックが混在しており、非対称段における左端ブロックの色と右端ブロックの色とは、同一でもよい。
【００１４】
あるいは、複数の段には、模様の異なる複数のブロックが混在しており、非対称段における左端ブロックの模様と右端ブロックの模様とは、同一でもよい。
【００１５】
好ましくは、当該外壁面材の幅を等分割した単位長さをＬ０とすると、全てのブロックの幅寸法は、Ｌ０の整数倍である。
【００１６】
好ましくは、コーナーカバー用面材を取り出す際の切断線は、非対称段のブロック上を通過する。
【００１７】
コーナーカバー用面材を取り出すための２本の切断線は、非対称段の共通のブロック上を通過することが望ましい。
【発明の効果】
【００１８】
本発明によれば、取り付け状態において、幅方向に隣接する外壁面材間に形成される目地が目立たないため、外壁全体としての意匠性を向上させることができる。
【図面の簡単な説明】
【００１９】
【図１】本発明の実施の形態に係る建物（住宅）の外観を示す斜視図である。
【図２】図１に示す建物の外壁を取り出して示す正面図である。
【図３】本発明の実施の形態に係る外壁面材の正面図である。
【図４】外壁面材を構成する複数の段に含まれる対称段の一例を示す図である。
【図５】外壁面材を構成する複数の段に含まれる非対称段の一例を示す図である。
【図６】本発明の実施の形態に係る外壁面材の一部のパターンユニットを取り出して示す正面図である。
【図７】本発明の実施の形態に係る外壁面材の一部のパターンユニットを取り出して示す正面図である。
【図８】図６のＶＩＩＩ−ＶＩＩＩに沿って見た断面図である。
【図９】図６のＩＸ−ＩＸに沿って見た断面図である。
【図１０】２つの外壁面材を幅方向に並べた状態を示す正面図である。
【図１１】非対称段において採用し得る厚みのパターン例を示す正面図である。
【図１２】外壁面材全体の厚みのパターン例を示す正面図である。
【図１３】図１２のＸＩＩＩ−ＸＩＩＩに沿って見た断面図である。
【図１４】外壁面材からコーナーカバー用面材（コーナーパネル）を取り出すことを示すための正面図である。
【図１５】（Ａ）はコーナーカバー用の第１の面材を示す図であり、（Ｂ）はコーナーカバー用の第２の面材を示す図である。
【図１６】取り付け状態におけるコーナーカバー用面材の部分断面図である。
【発明を実施するための形態】
【００２０】
本発明の実施の形態について図面を参照しながら詳細に説明する。なお、図中同一または相当部分には同一符号を付してその説明は繰り返さない。
【００２１】
図１および図２を参照して、はじめに本実施の形態に係る外壁面材１の概要について説明する。以下の説明において、図１および図２の矢印Ａ１は、建物１００の幅方向を示し、矢印Ａ２は、建物１００の上下方向を示している。
【００２２】
本実施の形態における外壁面材１は、建物１００の外壁１０１を構成する面部材であって、屋外に面する外装材である。外壁面材１が用いられる建物１００としては、主に、１階建てや複数階建ての住宅である。住宅建築において、外壁、床および屋根などの建物の構成要素を予め工場にて所定の大きさにパネル化し、施工現場でこれらのパネルを組み立てて構築するパネル工法が知られている。このパネル工法は、プレハブ住宅などで一般的に使用され、外壁パネルごとに外壁面材１が設けられる。すなわち、所定の大きさの外壁面材１が建物１００の外壁１０１の幅方向に沿って隣接して複数並べられる。なお、建物１００が複数階の場合は、外壁面材１は、上下方向にも隣接して並べられる。
【００２３】
このように、複数の外壁面材１が幅方向に隣接して並べられる場合、外壁面材１と外壁面材１との間には、上下方向に延びる目地（継目）３が形成される。本実施の形態の外壁面材１は、目地３を目立たなくするような表面構成（意匠パターン）を有している。このような外壁面材１について、以下に詳細に説明する。
【００２４】
（外壁面材について）
図３を参照して、外壁面材１の幅Ｌ１は、建物の設計上の１モジュール（１Ｐ）を基準に設定され、たとえば、９００ｍｍである。外壁面材１の高さＬ２は、建物１００の階高と略同じ寸法に形成され、たとえば、２５００ｍｍ〜３５００ｍｍである。外壁面材１として、たとえば、窯業系のサイディング材などが用いられる。
【００２５】
外壁面材１は、屋外に面する表面側に、外壁面材１の幅方向一端から幅方向他端にまで延びる複数の横溝１１を有している。複数の横溝１１は、互いに対して上下方向に間隔をあけて平行に延びている。外壁面材１は、これらの複数の横溝１１によって形成された複数の段２０を備えている。各段２０には、その上下に位置する横溝１１を接続する複数の縦溝１２によって形成された、複数の矩形のブロック３０が形成されている。なお、上下に隣接する段２０の縦溝１２の位置は、幅方向にずれていることが望ましい。
【００２６】
本実施の形態に係る外壁面材１の全体の意匠パターンは、複数（たとえば、９つ）のパターンユニットＵ１〜Ｕ９によって構成される。各パターンユニットＵ１〜Ｕ９は、連続する複数（たとえば、４つ）の段２０を含む。各パターンユニットＵ１〜Ｕ９には、少なくとも１つの対称段２１と、少なくとも１つの非対称段２２とが含まれるものとする。
【００２７】
図４，５を参照して、対称段２１と非対称段２２について説明する。
【００２８】
図４に示されるように、対称段２１は、幅方向中央位置を中心として左右対称であり、すべてのブロック３０の幅寸法が同じである段２０を表す。たとえば、対称段２１が４つの等分割ブロック３１ａ，３１ｂ，３１ｃ，３１ｄを含んでいる場合、４つの等分割ブロック３１ａ，３１ｂ，３１ｃ，３１ｄの幅寸法は、すべて１／４Ｌ１で同一である。
【００２９】
図５に示されるように、非対称段２２は、幅方向中央位置を中心として左右非対称であり、幅寸法の異なるブロック３０を有する段２０を表す。具体的には、非対称段２２は、少なくとも１つの基準ブロック３２ａと、幅方向左端に位置し、幅寸法が基準ブロック３２ａよりも小さい左端ブロック３２ｂと、幅方向右端に位置し、幅方向が基準ブロック３２ａよりも小さく、かつ、左端ブロック３２ｂの幅寸法とは異なる右端ブロック３２ｃとを含む。
【００３０】
なお、各ブロック３０の幅寸法は、その左側に位置する縦溝１２の中心からその右側に位置する縦溝１２までの距離を示す。また、ブロック３０が端に位置する場合には、外壁面材１の端縁からブロック３０の隣接する縦溝１２の中心までの距離を示す。
【００３１】
ここで、基準ブロック３２ａの幅寸法をＬとすると、左端ブロック３２ｂの長さはＬ×Ｂ／Ａ（Ａ＞Ｂ）であり、右端ブロック３２ｃの長さはＬ×（Ａ−Ｂ）／Ａである。すなわち、左端ブロック３２ｂの長さと、右端ブロック３２ｃの長さとを合わせた長さ（幅寸法）は、基準ブロック３２ａの長さＬと同じになる。
【００３２】
図５には、２つの外壁面材１が隣接して並べられた場合に、非対称段２２に隣接する、同じブロック構成の非対称段２２ａが想像線で示されている。右側に並べられている方を非対称段２２ａとする。非対称段２２と非対称段２２ａを幅方向に隣接して並べると、非対称段２２の右端ブロック３２ｃと、非対称段２２ａの左端ブロック３２ｂとが目地３を挟んで隣り合う。そのため、非対称段２２の右端ブロック３２ｃと非対称段２２ａの左端ブロック３２ｂとを合わせた長さは、非対称段２２，２２ａの基準ブロック３２ａの長さＬと同一である。
【００３３】
外壁面材１を構成するパターンユニットＵ１〜Ｕ９のうち、奇数番目のパターンユニットＵ１，Ｕ３，Ｕ５，Ｕ７，Ｕ９は、すべて同じ段構成であり、偶数番目のパターンユニットＵ２，Ｕ４，Ｕ６，Ｕ８は、すべて同じ段構成である。そのため、ここでは、パターンユニットＵ１，Ｕ２の段構成について、代表的に説明する。
【００３４】
図６を参照して、パターンユニットＵ１は、２つの対称段２１と、２つの非対称段２２とで構成されている。２つの対称段２１のうち、上側の対称段２３と下側の対称段２４とは、同じ個数のブロック３０を含んでいることが望ましい。２つの非対称段２２のうち、上側の非対称段２５と下側の非対称段２６も、同じ個数のブロック３０を含んでいることが望ましい。
【００３５】
上側の対称段２３は、たとえば、４つの等分割ブロック３３ａ，３３ｂ，３３ｃ，３３ｄから構成されている。下側の対称段２４も、４つの等分割ブロック３４ａ，３４ｂ，３４ｃ，３４ｄから構成されている。
【００３６】
上側の非対称段２５は、１つの基準ブロック３５ａと、左端ブロック３５ｂと、右端ブロック３５ｃとから構成され、左端ブロック３５ｂの長さは、たとえば、１／４Ｌである。この場合、右端ブロック３５ｃの長さは、３／４Ｌである。下側の非対称段２６は、１つの基準ブロック３６ａと、左端ブロック３６ｂと、右端ブロック３６ｃとから構成され、左端ブロック３６ｂの長さは、たとえば、３／４Ｌである。この場合、右端ブロック３６ｃの長さは１／４Ｌである。本実施の形態では、上側の非対称段２５の基準ブロック３５ａと、下側の非対称段２６の基準ブロック３６ａとは、同じ長さである。したがって、上側の非対称段２５と下側の非対称段２６とは、幅方向中央位置を中心にして左右反転している。
【００３７】
パターンユニットＵ２も、２つの対称段２１と、２つの非対称段２２とで構成されている。具体的には、対称段２１は、パターンユニットＵ１と同じ上側の対称段２３と下側の対称段２４を含む。非対称段２２は、上側の非対称段２５ａと下側の非対称段２６ａとを含む。パターンユニットＵ１は、上から、対称段２１（２３）、非対称段２２（２５）、対称段２１（２４）、非対称段２２（２６）の順に、対称段２１と非対称段２２が交互に配置される。
【００３８】
上側の非対称段２５ａは、１つの基準ブロック３５ｄと、左端ブロック３５ｅと、右端ブロック３５ｆとから構成される。上側の非対称段２５ａは、パターンユニットＵ１の下側の非対称段２６と同様のブロック構成である。すなわち、左端ブロック３５ｅの長さが３／４Ｌで、右端ブロック３５ｆの長さが１／４Ｌである。
【００３９】
下側の非対称段２６ａは、１つの基準ブロック３６ｄと、左端ブロック３６ｅと、右端ブロック３６ｆとから構成される。下側の非対称段２６ａは、パターンユニットＵ１の上側の非対称段２５と同様のブロック構成である。すなわち、左端ブロック３６ｅの長さが１／４Ｌで、右端ブロック３６ｆの長さが３／４Ｌである。
【００４０】
なお、本実施の形態では、対称段２１、非対称段２２に関わらず、外壁面材１の幅を等分割した単位長さをＬ０とすると、すべてのブロック３０の幅寸法は、Ｌ０の整数倍となっている。たとえば、単位長さＬ０は、１／８Ｌ１である。各段２０を構成するブロック３０の幅寸法について、単位長さＬ０を用いて説明する。
【００４１】
パターンユニットＵ１，Ｕ２において、上側の対称段２３の等分割ブロック３３ａ，３３ｂ，３３ｃ，３３ｄの幅寸法は、２Ｌ０であり、下側の対称段２４の等分割ブロック３４ａ，３４ｂ，３４ｃ，３４ｄの幅寸法も、２Ｌ０である。
【００４２】
パターンユニットＵ１において、上側の非対称段２５の基準ブロック３５ａの長さは４Ｌ０であり、左端ブロック３５ｂの長さは１Ｌ０であり、右端ブロック３５ｃの長さは３Ｌ０である。同様に、パターンユニットＵ２において、非対称段２６ａの基準ブロック３６ｄの長さは４Ｌ０であり、左端ブロック３６ｅの長さは１Ｌ０であり、右端ブロック３６ｆの長さは３Ｌ０である。
【００４３】
パターンユニットＵ１において、下側の非対称段２６の基準ブロック３６ａの長さは４Ｌ０であり、左端ブロック３６ｂの長さは３Ｌ０であり、右端ブロック３６ｃの長さは１Ｌ０である。パターンユニットＵ２において、上側の非対称段２５ａの基準ブロック３５ｄの長さは４Ｌ０であり、左端ブロック３５ｅの長さは３Ｌ０であり、右端ブロック３５ｆの長さは１Ｌ０である。
【００４４】
このように、すべてのブロック３０の幅寸法を、Ｌ０の整数倍とすることで、対称段２１、非対称段２２に関わらず、段２０ごとにブロック３０の配列に規則性を持たせている。
【００４５】
図３に示されるように、各パターンユニットに含まれる４つの段２０の高さ寸法は、同一ではないことが望ましい。このことについては、図７を参照して説明する。なお、各段２０の高さ寸法は、その上下に位置する横溝１１の中心間の距離を示す。また、段２０が、外壁面材１の端に位置する場合には、外壁面材１の端縁から隣接する縦溝１２の中心までの距離を示す。
【００４６】
パターンユニットＵ１の下側の対称段（第２の対称段）２４は、上側の対称段（第１の対称段）２３よりも高さ寸法が小さく、上側の非対称段（第２の非対称段）２５は、下側の非対称段（第１の非対称段）２６よりも高さ寸法が小さい。ここで、高さ寸法が大きい段である上側の対称段２３と下側の非対称段２６の高さ寸法は、略同じであり、高さ寸法が小さい段である下側の対称段２４と上側の非対称段２５の高さ寸法は、略同じである。
【００４７】
つまり、高さ寸法が小さい非対称段２５と対称段２４とが、高さ寸法の大きい非対称段２６と対称段２３とによって挟まれている。パターンユニットＵ２においても、同様の構成である。このように配置することで、外壁面材１の意匠パターンが単調でなく、外壁面材１の意匠性を向上させることが可能である。
【００４８】
図８は、図６のＶＩＩＩ−ＶＩＩＩに沿って見た断面図であり、図９は、図６のＩＸ−ＩＸに沿って見た断面図である。外壁面材１の表面側には、図８に示されるように、全て同じ深さの縦溝１２が形成されている。さらに、外壁面材１の表面側には、図９に示されるように、全て同じ深さの横溝１１が形成されている。外壁面材１における縦溝１２と横溝１１の深さは同一であり、外壁面材１の表面側に形成されるすべての溝において、略同一の深さである。なお、外壁面材１の裏面側には、意匠パターンは形成されておらず、平坦で、かつ、無地である。
【００４９】
図１０は、２つの外壁面材１を幅方向に並べた状態を示す正面図である。図中、ハッチを示した部分は、目地３を挟む非対称段２２のブロック３０である。
【００５０】
外壁面材１を幅方向に並べて隣接させた際、非対称段２２において、右端ブロック３２ｃと左端ブロック３２ｂが隣り合うことで、右端ブロック３２ｃと左端ブロック３２ｂとを合わせた長さと、その両端に位置する基準ブロック３２ａの長さとが同一になる。これにより、外壁面材１が幅方向に並べられると、隣り合う右端ブロック３２ｃと左端ブロック３２ｂとが目地３を挟んで１つのブロック（擬似ブロック）を構成しているように見える。そのため、幅寸法Ｌのブロック３０の模様の連続性が途切れず、非対称段２３のブロック３０の横の並びが強調されるため、目地３が目立たない。また、非対称段２２において、目地３を挟むことで、目地３が擬似ブロックの中央からずれるため、外壁面材１の意匠パターンが単調とならず、面白みがあり、意匠性が向上する。
【００５１】
さらに、対称段２１が等分割であるため、対称段２１においては、ブロック３０の端が目地３に一致している。これにより、外壁面材１全体として見ると、目地３をより目立たなくすることができる。さらに、対称段２１のブロック３１の幅寸法よりも、非対称段２２の基準ブロック３２ａの幅寸法を大きくすることで、非対称段２２の印象を強めることができる。さらに、パターンユニットＵ１，Ｕ２は、対称段２１と非対称段２２を上下方向に交互に配列させつつ、低い段を高い段で挟む構成としたため、さらに意匠性を向上させることができる。
【００５２】
なお、意匠性をより十分に向上させるために、ブロック３０の厚みを変えてもよい。つまり、非対称段２２を含めた全ての段２０において、厚みの異なる複数のブロック３０が混在していてもよい。
【００５３】
この場合、非対称段２２の左端ブロック３２ｂの厚みと右端ブロック３２ｃの厚みとは同一とされる。たとえば、ブロック３０の厚みとして、２通り（大・小）存在すると仮定した場合の、非対称段２２において採用し得る厚みのパターン例を図に示す。図１１のハッチ部分は、他の部分よりも厚みの大きい部分である。
【００５４】
図１１（Ａ）の例では、左端ブロック３２ｂと右端ブロック３２ｃとは、厚みが大きく、基準ブロック３２ａは厚みが小さい。図１１（Ｂ）の例では、左端ブロック３２ｂと右端ブロック３３ｃとは、厚みが小さく、基準ブロック３２ａは厚みが大きい。図１１（Ｃ）の例では、左端ブロック３２ｂと右端ブロック３２ｃと基準ブロック３２ａとは、全て厚みが大きい。図１１（Ｄ）の例では、左端ブロック３２ｂと右端ブロック３２ｃと基準ブロック３２ａとは、全て厚みが小さい。
【００５５】
図１２は、幅方向に外壁面材１を隣接して並べた外壁面材全体の厚みのパターン例を示す正面図である。ハッチを示した部分は、相対的に厚みの大きい部分であり、同一の厚みである。図１２に示されるように、外壁面材１全体において厚みを変えることで、非対称段２２において、目地３を挟んで隣接する右端ブロック３２ｃと左端ブロック３２ｂとが、一体のブロックである印象を強調することができる。これにより、非対称段２２において、目地３を挟んでも、ブロック模様の連続性が途切れず、非対称段２３のブロック３０の横の並びが目立ち、より目地３が目立たなくなる。なお、この場合において、全ての非対称段２３に厚みの異なるブロックを混在させる必要はない。
【００５６】
図１３は、図１２のＸＩＩＩ−ＸＩＩＩに沿って見た断面図である。厚みの大きい等分割ブロック３１ａ，３１ｂの厚みはＴ１、厚みの小さい等分割ブロック３１ｃ，３１ｄの厚みはＴ２である。厚みの差（Ｔ１−Ｔ２）は、たとえば、２〜３ｍｍ程度である。
【００５７】
なお、ここでは、ブロック３０の厚みが異なるとしたが、厚みの代わりに、色の異なる複数のブロック３０を混在させてもよい。この場合、非対称段において、左端ブロックの色と右端ブロックの色とは、同一である。あるいは、模様の異なる複数のブロックを混在させてもよい。この場合、非対称段において、左端ブロックの模様と右端ブロックの模様とは、同一である。また、厚みを混在させた上に着色を施すなど、適宜これらを組み合わせることも可能である。
【００５８】
（コーナーカバーについて）
図１に示すように、建物１００の各隅部には、コーナーカバー２が取り付けられている。本実施の形態では、コーナーカバー２は、外壁面材１から切り出された１対の面材（コーナーカバー用面材）によって構成されている。図１４〜１６を参照して、コーナーカバー２について説明する。ここで用いられる外壁面材１は、図１３に示したように、厚みが異なるブロック３０が混在しているものとする。
【００５９】
外壁面材１は、中央位置を通る線Ｃ３において切断可能であり、左半分から面材４１，４２、右半分から面材４１ａ，４２ａが取り出される。この場合、たとえば、面材４１，４２によってコーナーカバー２が構成され、面材４１ａ，４２ａによって別のコーナーカバー２が構成される。
【００６０】
第１の面材４１を取り出す際の切断線Ｃ１は、非対称段２２のブロック上を通過する。第２の面材４２を取り出す際の切断線Ｃ２もまた、非対称段２２のブロック上を通過する。図１５，１６に示すように、第１の面材４１と第２の面材４２とは、切断線Ｃ１の位置と切断線Ｃ２の位置とが接合されることにより、コーナーカバー２が形成される。
【００６１】
図１４に示されるように、非対称段２２において、切断線Ｃ１が通過するブロック３０と、切断線Ｃ２が通過するブロック３０は共通のブロックである。つまり、切断線Ｃ１および切断線Ｃ２が通過するブロック３０の厚みは同一である。なお、対称段２１においては、切断線Ｃ１，Ｃ２ともブロック３０上を通過するが、異なるブロック３０である。
【００６２】
右半分から取り出される面材４１ａ，４２ａも、上記と同様の方法によってコーナーカバー２を形成することができる。すなわち、第１の面材４１ａを取り出す際の切断線Ｃ４および第２の面材４２ａを取り出す際の切断線Ｃ５も、非対称段２２の共通のブロック３０上を通過する。
【００６３】
なお、非対称段２２においても、それぞれの切断線が通るブロック３０の厚みが同一であれば、切断線が通過するブロック３０は、共通のブロック３０でなくてもよい。また、切断線が通過するブロック３０の厚みが同じであれば、第１の面材４１と第２の面材４２ａとの組、第１の面材４１ａと第２の面材４２との組で、コーナーカバー２をそれぞれ構成してもよい。
【００６４】
図１６に示すように、第１の面材４１（４１ａ）と第２の面材４２（４２ａ）とを直角にして取り付けることで、コーナーカバー２を組み立てることができる。この場合であっても、隅部において直交状態で隣り合うブロックの厚みが同一であるため、コーナーカバー２の意匠性を向上させることもできる。それによって、外壁１０１全体としての意匠性を向上させることができる。
【００６５】
なお、一枚の外壁面材１から２組のコーナーカバー用面材を取り出すとしていたが、１枚の外壁面材１から少なくとも１組のコーナーカバー用面材を取り出すことができれば構わない。
【００６６】
なお、上記実施の形態では、全ての対称段が、同じ個数のブロックを含むとしたが、ブロックの数が異なっていてもよい。同様に、全ての非対称段が、同じ個数のブロックを含むとしたが、ブロックの数が異なっていてもよい。
【００６７】
また、上記実施の形態では、段２０の高さ寸法は２通りであるとしたが、３通り以上でもよい。
【００６８】
さらに、上記実施の形態において、パターンユニットＵ１とパターンユニットＵ２を交互に繰り返すとしたが、パターンユニットＵ１だけを繰り返してもよい。
【００６９】
また、上記実施の形態において、対称段２１は、等分割であるとしたが、幅方向中央位置を中心として左右対称であれば、等分割ブロックでなくてもよい。
【００７０】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００７１】
１  外壁面材、２  コーナーカバー、３  目地、１１  横溝、１２  縦溝、２０  段、２１，２３  ２４  対称段、２２，２５，２５ａ，２６  ２６ａ  非対称段、３０  ブロック、３１，３３，３４  等分割ブロック、３２ａ，３５ａ，３５ｅ，３６ａ，３６ｅ  基準ブロック、３２ｂ，３５ｂ，３５ｅ，３６ｂ，３６ｅ  左端ブロック、３２ｃ，３５ｃ，３５ｆ，３６ｃ，３６ｆ  右端ブロック、４１  第１の面材、４２  第２の面材、１００  建物、１０１  外壁、Ｕ１〜Ｕ９  パターンユニット。
【図１】
0006039708.tif 000002
【図２】
0006039708.tif 000003
【図３】
0006039708.tif 000004
【図４】
0006039708.tif 000005
【図５】
0006039708.tif 000006
【図６】
0006039708.tif 000007
【図７】
0006039708.tif 000008
【図８】
0006039708.tif 000009
【図９】
0006039708.tif 000010
【図１０】
0006039708.tif 000011
【図１１】
0006039708.tif 000012
【図１２】
0006039708.tif 000013
【図１３】
0006039708.tif 000014
【図１４】
0006039708.tif 000015
【図１５】
0006039708.tif 000016
【図１６】
0006039708.tif 000017